(57)【要約】【課題】前後方向の開放感に優れるとともに、座の下方に比較的大きな空間を形成しうるベンチを提供する。【解決手段】床面１に立設された左右１対の支柱２の前面に、前方を向くとともに、床面１より所要寸法離間するブラケット５の基端を固着し、該両ブラケット５の前端部上面に、座体１１の左右両端部のほぼ中央部下面を載置して固定する。【選択図】        図１
2005021179.tif 000002
【特許請求の範囲】
【請求項１】
床面に立設された少なくとも左右１対の支柱の前面に、前方を向くとともに、床面より所要寸法離間するブラケットの基端を固着し、該両ブラケットの前端部上面に、座体の左右両端部のほぼ中央部下面を載置して固定したことを特徴とするベンチ。
【請求項２】
ブラケットを斜め前上方に向かって傾斜させてなる請求項１記載のベンチ。
【請求項３】
支柱の前面に上下方向を向く凹溝を設け、この凹溝にブラケットの基端を嵌合して固着した請求項１または２記載のベンチ。
【請求項４】
座体を、その後端が支柱の前面よりも前方に位置するように、ブラケットに固定してなる請求項１〜３のいずれかに記載のベンチ。
【請求項５】
座体を、背凭れを有するものとするとともに、前記背凭れを、支柱の前面より前方に位置させた請求項１〜４のいずれかに記載のベンチ。
【請求項６】
左右のブラケットにおける前端部上面に、左右方向を向く複数の座取付杆を架設し、この座取付杆に、座体の下面の複数個所を固定した請求項１〜５のいずれかに記載のベンチ。
【請求項７】
左右の支柱の上下寸法を、座体の着座面より低寸とした請求項１〜６のいずれかに記載のベンチ。
【請求項８】
左右の支柱を長寸として、座体よりも上方に延出し、両支柱の上端部間に表示板を取付けた請求項１〜６のいずれかに記載のベンチ。
【発明の詳細な説明】
【０００１】
【発明の属する技術分野】
本発明は、例えば駅のプラットホーム等に設置されるベンチに関する。
【０００２】
【従来の技術】
この種のベンチとしては、床面に左右方向を向く所要高さの支持体（上向段部）を立設し、この支持体の前面に後端が固着された左右複数のブラケット（脚体）の上面に、複数本の支持杆を横架し、この支持杆上に、複数個の座板を取付けたものがある（例えば特許文献１参照）。
また壁面に複数のブラケットの後端を固着し、各ブラケットの上面に、左右方向を向く長寸の座体を取付けたものも知られている。
【０００３】
【特許文献１】
実公平５−２５４９５号公報（第１、第２図）
【０００４】
【発明が解決しようとする課題】
上記特許文献１に記載されている従来のベンチ、及び壁面に座体を取付けたベンチでは、いずれも、支持体や壁面が障害となって、前後方向の開放感に乏しく、特に、壁面に座体を取付けたベンチでは、前後方向の見通しが悪く、圧迫感がある。
【０００５】
また、特許文献１に記載のベンチのように、座板が、左右のブラケットのほぼ中央部に横架した支持杆上に取付けられていると、着座した際に、着座者の両脚の後方と座板の下方との間に形成される空間が比較的小さく、その空間を利用して置かれる手荷物等の大きさも限られる。
【０００６】
本発明は、上記問題点に鑑みてなされたもので、前後方向の開放感に優れるとともに、座の下方に比較的大きな空間を形成しうるようにしたベンチを提供することを目的としている。
【０００７】
【課題を解決するための手段】
本発明によると、上記課題は、次のようにして解決される。
（１）床面に立設された少なくとも左右１対の支柱の前面に、前方を向くとともに、床面より所要寸法離間するブラケットの基端を固着し、該両ブラケットの前端部上面に、座体の左右両端部のほぼ中央部下面を載置する。
【０００８】
（２）上記（１）項において、ブラケットを斜め前上方に向かって傾斜させる。
【０００９】
（３）上記（１）または（２）項において、支柱の前面に上下方向を向く凹溝を設け、この凹溝にブラケットの基端を嵌合して固着する。
【００１０】
（４）上記（１）〜（３）項のいずれかにおいて、座体を、その後端が支柱の前面よりも前方に位置するように、ブラケットに固定する。
【００１１】
（５）上記（１）〜（４）項のいずれかにおいて、座体を、背凭れを有するものとするとともに、前記背凭れを、支柱の前面より前方に位置させる。
【００１２】
（６）上記（１）〜（５）項のいずれかにおいて、左右のブラケットにおける前端部上面に、左右方向を向く複数の座取付杆を架設し、この座取付杆に、座体の下面の複数個所を固定する。
【００１３】
（７）上記（１）〜（６）項のいずれかにおいて、左右の支柱の上下寸法を、座体の着座面より低寸とする。
【００１４】
（８）上記（１）〜（６）項のいずれかにおいて、左右の支柱を長寸として、座体よりも上方に延出し、両支柱の上端部間に表示板を取付ける。
【００１５】
【発明の実施の形態】
以下、本発明の実施形態を、図面に基づいて説明する。
図１は、本発明のベンチ（Ｂ）における第１の実施形態の側面図、図２は、同じく斜視図である。
（１）は、駅のプラットホーム等の床面で、この床面（１）には、左右１対の短寸の支柱（２）（２）が立設されている。
【００１６】
支柱（２）は、図３の断面図に示すように、平面視ほぼ正方形の角筒状断面をなし、その前後左右（以下、図１の左方を前として説明する）の４面には、凹溝（３）が、上下方向に向かって形成されている。
（４）は、支柱（２）の上端の開口に嵌着されたキャップである。
【００１７】
左右の支柱（２）における前面の凹溝（３）には、中央部が開口された側面視ほぼ三角形をなすブラケット（５）（５）が、その基端の上下方向を向く取付基板（５ａ）を凹溝（３）内にがたなく嵌合して、上下の端部を左右２個ずつのボルト（６）をもっ固着することにより、前端部上面が支柱（２）のキャップ（４）の上面とほぼ等高をなすように、やや前上方に向かって傾斜させて固定されている。（５ｂ）は、左右両側方に突出する補強リブである。
【００１８】
左右のブラケット（５）の前端部上面に形成された凹入部（７）には、図４にも示すように、左右方向を向き、かつ両端が閉塞された前後２本のパイプ状の座取付杆（８）（８）の両端部が、ブラケット（５）の前端部下面の挿通孔（９）（９）より挿入したボルト（１０）（１０）により固定されている。
【００１９】
（１１）は、座取付杆（８）に取付けられた、その左右寸法とほぼ等長をなす座体で、側面視前向Ｌ字状をなす左右１対の座フレーム（１２）（１２）と、それらの前後方向を向く座支持部（１２ａ）の対向面間に固定された、例えば木製の座板（１３）と、同じく、座フレーム（１２）のやや後傾する背凭れ支持部（１２ｂ）の対向面間に固定された木製の背凭れ（１４）とからなっている。
【００２０】
座板（１３）の上面には、側面視下向コ字状をなす複数（２個）の肘当て（１５）（１５）が固定されている。
【００２１】
上記左右の座フレーム（１２）における座支持部（１２ａ）の中央部下面には、下面に、前後の座取付杆（８）の両端部に上方より嵌合可能な上向き半円状の保持溝（１６）（１６）を有する上部座取付部材（１７）が固着されている。
【００２２】
（１８）は、上記上部座取付部材（１７）と対をなす下部座取付部材で、その上面には、前後の座取付杆（８）の下半部に嵌合可能な下向き半円状の保持溝（１９）（１９）が形成されている。
【００２３】
上記左右の上部座取付部材（１７）の保持溝（１６）を、前後の座取付杆（８）の両端部に上方より嵌合したのち、下部座取付部材（１８）の保持溝（１９）を、上記上部座取付部材（１８）と対向する下方において座取付杆（８）の下半部に嵌合し、図１に示すように、下部座取付部材（１８）の中央部に下方より挿入したボルト（２０）の上端部を、上部座取付部材（１７）の中央部のめねじ孔（図示略）に螺合し、座取付杆（８）を上下から締付けることにより、座体（１１）は、その座板（１３）の下面の中央部が、座取付杆（８）と近接する上方に、支柱（３）の上端よりもやや上方に位置するようにして、実質的に左右のブラケット（５）の前端部上面に支持されて固定されている。
【００２４】
上記実施形態のベンチ（Ｂ）においては、床面（１）に、上下寸法の小さな１対の支柱（２）を立設し、その前面に取付けたブラケット（５）の前端部上面に、座体（１１）を、前後１対の座支持杆（８）を介して固定しているため、ベンチ（Ｂ）の前後方向に大きな開放感が得られるとともに、座体（１１）の後方に支柱（２）が大きく露出しないので、歩行等の妨げとなることがない。
【００２５】
また、座板（１３）は、前上方を向くブラケット（５）の前端部の上方に位置しているため、着座者（Ｐ）の脚の後方と座板（１３）の下方との間に、比較的大きな空間が形成され、この空間を利用して、大きな手荷物を置くこともでき、かつ清掃等も容易となる。
【００２６】
さらに、ブラケット（５）の基端の取付基板（５ａ）が、支柱（２）の凹溝（３）内にがたなく嵌合されて固定されているため、ブラケット（５）の左右方向のねじれ剛性が大きく、座板（１３）を安定的に支持しうる。
【００２７】
なお、上記第１の実施形態においては、支柱（２）の後面にも、上記と同様のベンチ（Ｂ）を、背中合わせに設けることもできる。
【００２８】
この際、前後の座体（１１）における背凭れ（１４）の上端の後面と前面は、支柱（２）の前面及び後面の延長線上よりも前方又は後方に位置し、前後の背凭れ（１４）の対向面間には、適度な空間が形成されるので、前後の着座者（Ｐ）同士が接近することはなく、快適に着座することができる。
【００２９】
図５は、本発明の第２の実施形態を示す。
この実施形態では、床面（１）に立設された上記と同形状の左右の支柱（２）を長寸とし、その下端部の前面に、上述と同一構造のベンチ（Ｂ）を設けるとともに、両支柱（２）の上部の対向面間に、電車の発車時刻や宣伝広告用等の表示板（２１）を、座体（１１）の背凭れ（１４）の上端より離間させて取付けてある。
【００３０】
上記のように、本発明のベンチ（Ｂ）は、その座体（１１）の座板（１３）の中央部がブラケット（５）の前端部上面に支持され、背凭れ（１４）の上端が支柱（２）の前面よりもやや前方に位置しているため、第２の実施形態のように、支柱（２）を座体（１１）の上方まで延長することが可能となり、支柱（２）を、座体（１１）の支持と表示板（２１）の取付けとに兼用することができる。
【００３１】
また、表示板（２１）は、支柱（２）の上部に、座体（１１）と離間させて設けてあるため、前後方向の開放感が損なわれることはない。
なお、この第２の実施形態においても、ベンチ（Ｂ）を、支柱（２）の後面に背中合わせに設けることができる。
【００３２】
本発明は、上記実施形態に限定されるものではない。
上記実施形態では、左右のブラケット（５）に２本の座取付杆（８）を横架し、この座取付杆（８）の両端部に、座体（１１）における座板（１３）の両端部を固定しているが、このような座取付杆（８）を省略し、座板（１３）の両端部を両ブラケット（５）に直接固定することもある。
【００３３】
座体（１１）の左右寸法が長いときには、支柱（２）を２個以上立設し、そのそれぞれにブラケット（５）を取付けて、座体（１１）を支持するようにしてもよい。
【００３４】
座体（１１）は、背凭れ（１４）がなく、座板（１３）のみのものを用いてもよい。
このようにすると、支柱（２）を低寸とした際には、ベンチの前後方向の開放感がより大きくなる。
【００３５】
【発明の効果】
請求項１記載の発明によれば、座体は、左右の支柱の前面に、ブラケットを介して取付けられているため、従来の壁面等に取付けたものに比して、前後方向に大きな開放感が得られる。
【００３６】
また、座体の中央部下面が、両ブラケットの前端部上面に固定され、座体の前端がブラケットよりも前方に位置しているため、座体の下方に比較的大きな空間が形成され、その空間に手荷物等を置くことができるとともに、座体の下方の清掃等も容易となる。
さらに、床面に、少なくとも左右１対の支柱を立設するだけで、ベンチを、駅のプラットホーム等に簡単に設置することができる。
【００３７】
請求項２記載の発明によれば、座体におけるブラケットの下方に、より大きな空間を形成することができる。
【００３８】
請求項３記載の発明によれば、ブラケットの左右方向のねじれ剛性が大となるので、座体に大きな荷重が加わっても、ブラケットの基端が、左右にねじれることはなく、座体を安定的に支持することができる。
【００３９】
請求項４記載の発明によれば、座体と支柱とが干渉することがないので、既設の支柱を利用して座体を取付けることも可能となる。
また、支柱の後面にも、ブラケットを介して座体を取付けた際に、前後の座体間に空間が形成されるので、着座者が接近することはなく、快適に着座することができる。
【００４０】
請求項５記載の発明によれば、支柱を高寸のものとしても、背凭れがその支柱に干渉することがなく、その支柱をもって、表示板やその他のものを支持させることができ、しかも座体への座り心地が向上する。
【００４１】
請求項６記載の発明によれば、左右のブラケットが、座取付杆により連結されているので、座体の支持強度が大となる。
【００４２】
請求項７記載の発明によれば、前後方向の開放感がより大きくなるとともに、座体の後方に支柱が大きく露出しないので、歩行者が支柱に当たったり、歩行の妨げとなるなどの恐れが小さくなる。
【００４３】
請求項８記載の発明によれば、左右の支柱を、座体の支持と表示板の取付けとに兼用することができ、それらの設置スペースが少なくて済む。
【図面の簡単な説明】
【図１】本発明のベンチの第１の実施形態を示す側面図である。
【図２】同じく斜視図である。
【図３】図１のＩＩＩ−ＩＩＩ線の拡大横断平面図である。
【図４】ブラケットへの座取付杆固定部の一部切欠側面図である。
【図５】本発明の第２の実施形態を示す斜視図である。
【符号の説明】
（１）床面
（２）支柱
（３）凹溝
（４）キャップ
（５）ブラケット
（５ａ）取付基板
（５ｂ）補強リブ
（６）ボルト
（７）凹入部
（８）座取付杆
（９）挿通孔
（１０）ボルト
（１１）座体
（１２）座フレーム
（１２ａ）座支持部
（１２ｂ）背凭れ支持部
（１３）座板
（１４）背凭れ
（１５）肘当て
（１６）保持溝
（１７）上部座取付部材
（１８）下部座取付部材
（１９）保持溝
（２０）ボルト
（２１）表示板
（Ｂ）ベンチ
（Ｐ）着座者
【図１】
2005021179.tif 000003
【図２】
2005021179.tif 000004
【図３】
2005021179.tif 000005
【図４】
2005021179.tif 000006
【図５】
2005021179.tif 000007